(57)【要約】【課題】アプリケーションの状態の変化に際し、使用者に違和感を与えない壁紙を選択して表示する。【解決手段】壁紙処理部は、壁紙をストリームスクリーン表示中にデジタル放送受信部が起動される場合、ストリームスクリーン表示を中止し（ステップＳ４０２）、事前に用意された、表示に必要となるリソースが少ない代替データを用いて（ステップＳ３０６）、静止画の壁紙を表示させる（ステップＳ３０７）。【選択図】図７
2008193317.tif 000002
【特許請求の範囲】
【請求項１】
表示手段と、
壁紙画像を記憶し、その壁紙画像を前記表示手段に表示するために用いられる演算リソース及び記憶リソースと比較して、少ない演算リソースまたは少ない記憶リソースを用いて前記表示手段に表示される代替壁紙画像を前記壁紙画像から作成して記憶し、前記壁紙画像及び前記代替壁紙画像の中のいずれかの画像を前記表示手段に表示する壁紙処理手段と、
前記壁紙処理手段によって用いられる演算リソース及び記憶リソースを共用して、符号化された動画像を復号し、復号された動画像を前記表示手段に表示する動画像処理手段と
を有し、
前記壁紙処理手段は、前記動画像処理手段が前記符号化された動画像を復号しない場合、前記壁紙画像を前記表示手段に表示し、前記動画像処理手段が前記符号化された動画像を復号する場合、前記代替壁紙画像を前記表示手段に表示する
ことを特徴とする情報処理装置。
【請求項２】
前記動画像処理手段は、デジタルテレビ放送を受信し、前記符号化された動画像は、前記受信されたデジタルテレビ放送に含まれる動画像である
ことを特徴とする請求項１に記載の情報処理装置。
【請求項３】
前記壁紙画像は動画像であり、前記代替壁紙画像は静止画像である
ことを特徴とする請求項１に記載の情報処理装置。
【請求項４】
前記壁紙画像は、ストリームスクリーン表示される静止画像であり、前記代替壁紙画像はその静止画像の一部分である静止画像が縮小または拡大された、ストリームスクリーン表示されない静止画像である
ことを特徴とする請求項１に記載の情報処理装置。
【請求項５】
前記代替壁紙画像は、前記壁紙画像の表現に用いられたピクセル数より少ないピクセル数で表現された画像である
ことを特徴とする請求項１に記載の情報処理装置。
【請求項６】
第１の画像と、前記第１の画像より記憶容量が少なく、かつ、前記第１の画像に基づいた第２の画像とを関連付けて記憶する記憶手段と、
前記第１の画像又は前記第２の画像を表示する表示手段と、
テレビ放送信号を受信する受信手段と、
前記受信手段が処理を行っていない場合、前記第１の画像を前記表示手段に表示し、前記受信手段が処理を行っている場合、前記第２の画像を前記表示手段に表示する制御手段と
を有することを特徴とする情報処理装置。
【発明の詳細な説明】
【技術分野】
【０００１】
本発明は、情報処理装置に係り、特に表示部に表示される壁紙の選択処理に関する。
【背景技術】
【０００２】
ウインドウシステムを備えた情報処理装置において、表示部の表示画面の中でアプリケーションによってウインドウなどが表示されていない部分には、背景画像が表示されることが知られている。この背景画像は、壁紙と称される。また、移動通信端末装置において、アプリケーションが起動されておらず、着信を待つ動作を行っている場合に表示部に表示される内容は、待受け画面と称される。そして、待受け画面は、例えば、時刻などの表示と、その表示の背景画像とからなり、この背景画像は、壁紙と称される。
【０００３】
なお、移動通信端末装置において、待受け画面が表示されていることと、壁紙が表示されていることとは、同じ状態を示す。しかし、以後、着信を待つ動作が行われることを強調する際に、待受け画面が表示される、また、適切な壁紙が適切な表示形態で表示されることを強調する際に、壁紙が表示されるとの記述によって説明をする。
【０００４】
壁紙の種類は、多様であり、静止画であることもある。また、例えば、大きい、即ち、ピクセル数の多い静止画の一部であって、その静止画のいずれの部分であるかを変更しつつ、及び／または、縮尺と拡大を行いつつ表示することによる動画像の表示であること（以後、ストリームスクリーン表示と称する。）もある。更に、例えば、ＦＬＡＳＨ（登録商標）などを用いたベクトル画像などによる動画像の表示であることもあり、ＭＰＥＧなどの符号化された動画像の表示であることもある。
【０００５】
また、壁紙を表示部に表示させる際の規格は多用であり、例えば、ＶＧＡ規格による場合と、ＱＶＧＡ規格による場合とがある。そこで、壁紙の表示に必要とされる演算リソースの大きさ、及び記憶リソースの大きさは、壁紙の種類によって大きく変わる。また、壁紙を表示部に表示させる際の規格によっても大きく変わる。
【０００６】
壁紙の表示は、例えば、アプリケーションによって行われる表示に比較すると、特定の情報を使用者に報知するためのものではなく、そのため、特定の表示である必要性に乏しい。そこで、壁紙は、装置の使用者の好みなどによって選択される処理が知られている。また、装置のオペレーティングシステム及びアプリケーションソフトウェアが管理する情報に依存して、異なった表示とすることが知られている（例えば、特許文献１参照。）。
【０００７】
また、壁紙の表示に充分なリソースがない場合、その壁紙とは異なる表示であって、使用者に違和感を与えないような表示をすることが知られている。例えば、アニメーションを壁紙として用いる場合、そのアニメーションの冒頭の画像を静止画として事前に記憶させ、アニメーションの表示が開始される前に、上記静止画を表示することが知られている（例えば、特許文献２参照。）。
【特許文献１】特開２００５−３３１８９５公報（第２頁、図１）
【特許文献２】特開２００５−１５１４８４号公報（第２頁、図８）
【発明の開示】
【発明が解決しようとする課題】
【０００８】
しかしながら、上述した特許文献１に開示されている方法では、壁紙の表示に充分なリソースを割り当てることができない場合、如何なる壁紙を選択して表示させれば適切かが明らかでない問題点があった。また、上述した特許文献２に開示されている方法では、壁紙の表示以外のアプリケーションの状態が変化したことによって、壁紙の表示に割り当てられるリソースが変化する場合、如何なる壁紙を選択して表示させれば適切かが明らかでない問題点があった。
【０００９】
本発明は、上記問題点を解決するためになされたもので、アプリケーションの状態の変化に際し、使用者に違和感を与えない壁紙を選択して表示する情報処理装置を提供することを目的とする。
【課題を解決するための手段】
【００１０】
上記目的を達成するために、本発明の情報処理装置は、表示手段と、壁紙画像を記憶し、その壁紙画像を前記表示手段に表示するために用いられる演算リソース及び記憶リソースと比較して、少ない演算リソースまたは少ない記憶リソースを用いて前記表示手段に表示される代替壁紙画像を前記壁紙画像から作成して記憶し、前記壁紙画像及び前記代替壁紙画像の中のいずれかの画像を前記表示手段に表示する壁紙処理手段と、前記壁紙処理手段によって用いられる演算リソース及び記憶リソースを共用して、符号化された動画像を復号し、復号された動画像を前記表示手段に表示する動画像処理手段とを有し、前記壁紙処理手段は、前記動画像処理手段が前記符号化された動画像を復号しない場合、前記壁紙画像を前記表示手段に表示し、前記動画像処理手段が前記符号化された動画像を復号する場合、前記代替壁紙画像を前記表示手段に表示することを特徴とする。
【発明の効果】
【００１１】
本発明によれば、アプリケーションの状態の変化に際し、使用者に違和感を与えない壁紙を選択して表示することができる。
【発明を実施するための最良の形態】
【００１２】
以下に、本発明による情報処理装置の実施の形態を、図面を参照して説明する。図１は、本発明の実施形態に係る情報処理装置が適用された、移動通信端末装置の構成を示すブロック図である。
【００１３】
この移動通信端末装置は、装置全体の制御を行う制御部１１と、基地局（図示せず）との間で電波の送受信を行うアンテナ１２ａと、通信部１２ｂと、送受信部１３と、受話用のスピーカ１４ａと、送話用のマイクロフォン１４ｂと、通話部１４ｃと、表示部１５と、入力装置１６とを備える。
【００１４】
更に、この移動通信端末装置は、壁紙処理部２１と、壁紙情報記憶部２２と、デジタル放送受信部２３と、画像音声処理部２４と、画像音声処理部２４によって作成された音声を発生させるスピーカ２４ａとを備える。壁紙情報記憶部２２には、壁紙情報２２ａが記憶される。壁紙情報２２ａは、表示部１５に壁紙として表示される画像情報であり、後で詳述する。なお、この移動通信端末装置は、スピーカ１４ａと、スピーカ２４ａとを共用し、１つのスピーカを備える構成としても良い。
【００１５】
なお、制御部１１、壁紙処理部２１、デジタル放送受信部２３及び画像音声処理部２４は、コンピュータ（ＣＰＵ）と、そのコンピュータによって利用されるプログラムによるが、これに限るものではない。例えば、後述するように、画像音声処理部２４は、専用の演算部及び記憶部を備えていても良い。
【００１６】
上記のように構成された、本発明の実施形態に係る移動通信端末装置の各部の動作を、図１を参照して説明する。
【００１７】
通信部１２ｂは、アンテナ１２ａが受信した高周波信号を送受信部１３へ出力し、また、送受信部１３から出力される高周波信号をアンテナ１２ａより送信する。
【００１８】
送受信部１３は、通信部１２ｂからの高周波信号を増幅、周波数変換及び復調し、それによって得られたデジタル音声信号を通話部１４ｃに送り、また、制御信号を制御部１１に送る。更には、通話部１４ｃから出力されるデジタル音声信号、及び制御部１１から出力される制御信号を変調、周波数変換及び増幅し、高周波信号を得て、それを通信部１２ｂに送る。
【００１９】
通話部１４ｃは、送受信部１３から出力されるデジタル音声信号をアナログ音声信号に変換し、それを増幅してスピーカ１４ａに送る。また、マイクロフォン１４ｂから出力されるアナログ音声信号を増幅し、それをデジタル音声信号に変換して送受信部１３に送信する。
【００２０】
表示部１５は、制御部１１に制御されることで、画像音声処理部２４によって作成された画像の表示動作を行う。また、画像音声処理部２４が作成した画像に限るものではなく、その他の処理部の指示に基づいて、文字及び数字の表示動作を行い、表示されているデータは、入力装置１６からの入力操作などに応答して制御部１１からの指示を受けることで切換わる。
【００２１】
入力装置１６は、通信相手の電話番号を指定するための数字キーと複数の機能キーとを含むキーからなる。そして、入力装置１６のキーが操作されると、そのキーの識別子が制御部１１に通知され、制御部１１によって、または、制御部１１がその識別子を通知した各部によって制御が行われる。また、その制御の結果は、表示部１５に文字や画像として表示される。
【００２２】
壁紙処理部２１は、壁紙として表示部１５に表示される画像データを壁紙情報記憶部２２に記憶させる。また、壁紙情報記憶部２２に記憶された画像データの中の１つを選択し、選択された画像データと、表示形態とを画像音声処理部２４に送って、その表示形態に従って表示部１５に表示させる。
【００２３】
デジタル放送受信部２３は、デジタル放送、例えば、地上デジタルテレビ放送を受信する。そして、受信された符号化された画像データ及び音声データを画像音声処理部２４に送って、復号された画像データを表示部１５に表示させ、また、復号された音声データをスピーカ２４ａから発生させる。なお、デジタル放送受信部２３は、復号された画像データを表示部１５に表示させないことがある。
【００２４】
即ち、デジタル放送受信部２３は、フォアグラウンド動作か、バックグラウンド動作かのいずれかとして動作する。ここで、フォアグラウンド動作とは、画像音声処理部２４に指示して、デジタル放送受信部２３によって復号された画像データを表示部１５に表示させる動作である。一方、バックグラウンド動作とは、画像音声処理部２４に指示して、復号された画像データを表示部１５に表示させない動作である。
【００２５】
また、デジタル放送受信部２３が受信するデジタル放送は、地上デジタルテレビ放送に限るものではない。衛星デジタルテレビ放送であっても良く、また、デジタルラジオ放送であっても良い。
【００２６】
画像音声処理部２４は、画像処理及び音声処理専用の演算部と記憶部を有する処理部であって、壁紙処理部２１から送られた表示形態を含む画像データを受信して、その表示形態に従って、その画像データを表示部１５に表示させる。また、デジタル放送受信部２３から送られた画像データ及び／または音声データを受信して、復号する。そして、復号された画像データをＱＶＧＡ規格に従って表示部１５に表示させ、また、復号された音声データをスピーカ２４ａから発生させる。
【００２７】
なお、壁紙処理部２１から画像データが送られ、かつ、デジタル放送受信部２３から画像データが送られた場合、画像音声処理部２４は、壁紙処理部２１及びデジタル放送受信部２３からの指示に従って、いずれかの画像データ、または、双方の画像データを表示部１５に表示させる。例えば、一方を表示させる、一方を縮尺して、他方の一部分に埋め込んで表示させる、一方を所定時間に渡って表示させることと、他方を所定時間に渡って表示させることを繰り返す、などであるが、これらに限るものではない。
【００２８】
本実施形態においては、画像音声処理部２４は、デジタル放送受信部２３から送られた指示に従うものとする。即ち、デジタル放送受信部２３から、デジタル放送受信部２３から送られた画像データを表示させる指示があれば、その画像データを表示し、デジタル放送受信部２３から送られた画像データを表示させる指示がなければ、壁紙処理部２１から送られた画像データを表示する。
【００２９】
なお、上記の処理により、画像音声処理部２４は、壁紙処理部２１から送られた画像データを表示させないことがある。この表示させない場合であっても、その表示内容を保持し続ける。そして、その画像データを表示させることに変更されると、保持し続けていた表示内容を表示させる。
【００３０】
この表示内容を保持し続ける処理により、この表示内容の表示は、直ちに行われる。また、壁紙が動画である場合、表示されない間にも動画が変化していたように表示させることが可能であり、また、表示されない間、動画は表示が一時停止されていたように表示させることも可能である。
【００３１】
また、画像音声処理部２４は、壁紙処理部２１から送られた画像データを表示させない場合、この画像データを処理することなく、例えば外部記憶部（図示せず）に記憶させ、その画像データを表示させることに変更されると、記憶させた画像データを読み出して表示させても良い。また、その画像データを破棄しても良い。
【００３２】
この表示内容を保持し続けない処理により、その画像データが表示されない間、その画像データの処理には演算及び記憶リソースが不要である。ただし、表示されることに変更された際、記憶させた画像データを読み出す時間、または、壁紙処理部２１からの再送を待つ時間が必要である。また、壁紙が動画である場合、冒頭から表示させる、または、動画の表示が一時停止されていたように表示させることになる。
【００３３】
また、上記の処理により、画像音声処理部２４は、デジタル放送受信部２３から送られた画像データを受信して、復号することによって得られた復号されたデータを表示部１５に表示させないことがある。この場合、画像音声処理部２４は、復号を続ける。なぜなら、復号されたデータを表示部１５に表示させる指示が受信された場合、復号による遅れ（例えば、フレーム内符号化されたフレームが復号されたデータが得られるまでの遅れ時間。）なしに表示させることができるためである。
【００３４】
また、復号されたデータを外部記憶部に記憶し、後刻再生するためである。更に、復号されたデータをケーブルまたは近距離無線通信回線を介して接続された外部表示装置（図示せず）に表示するためである。
【００３５】
なお、画像音声処理部２４は、デジタル放送受信部２３から送られた画像データを表示部１５に表示させない場合、復号を停止し、デジタル放送受信部２３から送られた画像データを破棄しても良い。
【００３６】
以下、本実施形態に係る移動通信端末装置における、壁紙処理部２１の壁紙の選択表示動作を説明する。
【００３７】
図２は、壁紙情報記憶部２２に記憶される壁紙情報２２ａの構成の一例を示す。この壁紙情報２２ａは、壁紙識別子２２ｂと、壁紙名称２２ｃと、壁紙データ２２ｄと、代替データ２２ｅとが関連付けられた情報からなる。この１組の関連付けられた情報が１つの壁紙に関する情報である。壁紙情報２２ａは、後述するように、壁紙処理部２１によって壁紙情報記憶部２２に記憶されるが、これに限るものではなく、例えば、移動通信端末装置の出荷の際に、既に記憶されていても良い。
【００３８】
なお、図２には、壁紙識別子２２ｂと、壁紙名称２２ｃと、壁紙データ２２ｄと、代替データ２２ｅとが隣接して記憶されている、また、複数の関連付けられた情報が隣接して記憶されているように図示したが、これは、理解を容易にするためであり、記憶される際、これに限るものではない。
【００３９】
特に、壁紙データ２２ｄと、代替データ２２ｅとは、後述するように、画像データであり、壁紙識別子２２ｂと、壁紙名称２２ｃとに比較すると、大きな記憶容量を必要とする。そのため、画像データを異なる領域に記憶し、または、ファイルとして記憶し、壁紙データ２２ｄと、代替データ２２ｅとには、それらの画像データの記憶位置を示すポインター、または、ファイル名が記憶されるとしても良い。
【００４０】
壁紙識別子２２ｂは、壁紙を一意に識別する情報である。壁紙名称２２ｃは、壁紙を識別する名称であるが、必ずしも一意に識別する必要はない。
【００４１】
壁紙データ２２ｄは、壁紙である画像データであり、各種の形式の、そして、各種の表示形態で表示部１５に表示される画像データが記憶される。例えば、図２で、壁紙識別子２２ｂが「１」である壁紙の壁紙データ２２ｄは、静止画であり、その表示は、ＶＧＡ規格に従って行われる。ＶＧＡ規格に従うことは、例えば、上記静止画が表示される際、画像音声処理部２４は、表示部１５に６４０×４８０ピクセルの表示を行わせるモードで動作することを意味する。ＶＧＡ規格に従うことは、後述するＱＶＧＡ規格に従うことに比較すると、多くの演算量と記憶容量とが必要とされる。
【００４２】
壁紙識別子２２ｂが「２」である壁紙の壁紙データ２２ｄは、例えば、ＦＬＡＳＨ（登録商標）によって記述されたベクトル動画であり、その表示は、ＱＶＧＡ規格に従って行われる。即ち、画像音声処理部２４は、表示部１５に３２０×２４０ピクセルの表示を行わせるモードで動作する。ベクトル動画は、音声データを含んでいても良い。なお、ベクトル動画の表示動作は、符号化された動画像の復号及び表示動作に比較して、少ないリソース（演算リソース及び記憶リソース。）で可能である。
【００４３】
代替データ２２ｅは、壁紙データ２２ｄを壁紙として表示するためのリソースが割り当てられることが困難な場合、壁紙データ２２ｄに代えて壁紙として表示される画像データであって、復号された静止画であり、その表示は、ＱＶＧＡ規格に従って行われる。なお、代替データ２２ｅは、必ずしも全ての壁紙データ２２ｄに関連付けて記憶される必要はなく、壁紙データ２２ｄを壁紙として表示するために必要とされるリソースが大きい場合に記憶されるとしても良い。
【００４４】
図２に示す一例では、壁紙識別子２２ｂが「１」である壁紙、即ち、壁紙データ２２ｄがＶＧＡ規格に従って表示される静止画である場合に代替データ２２ｅが記憶されるとしている。この場合、壁紙データ２２ｄの表示に比較的多くのリソースが必要とされるからである。
【００４５】
図３は、壁紙処理部２１が壁紙を壁紙情報記憶部２２に記憶させる動作のフローチャートを示す。壁紙処理部２１は、入力装置１６の所定のキー操作に従って壁紙を壁紙情報記憶部２２に記憶させる動作を開始する（ステップＳ１０１）。そして、所定の壁紙設定画面を表示部１５に表示させる（ステップＳ１０２）。
【００４６】
ここで、壁紙として使用可能な画像データは、壁紙サーバ装置（図示せず）から配信され、送受信部１３によって受信されていることにより、または、電子メール送受信部（図示せず）によって添付ファイルとして受信されていることにより、または、着脱可能な記憶媒体（図示せず）を介することにより、壁紙処理部２１が読み出し可能な状態にあるとする。または、壁紙情報２２ａに代替データ２２ｅは記憶されていないものの、壁紙識別子２２ｂ、壁紙名称２２ｃ及び壁紙データ２２ｄは記憶されており、壁紙処理部２１が読み出し可能な状態にあるとしても良い。
【００４７】
そして、壁紙処理部２１は、それらの画像データの名称を表示部１５に表示させ、入力装置１６の所定のキー操作によって壁紙として壁紙情報記憶部２２に記憶させると指示された画像データ毎に、以下の動作を行う。
【００４８】
即ち、壁紙処理部２１は、上記指示された画像データ毎に、その画像データに対して代替データが必要か否かを判断する（ステップＳ１０３）。ここで、代替データが必要な場合とは、その画像データが静止画であり、ＶＧＡ規格に従って表示されるデータである場合である。代替データが不要な場合とは、その画像データがベクトル動画であり、ＱＶＧＡ規格に従って表示される場合であるが、これに限るものではない。ＶＧＡ規格に従って表示される静止画データであっても、そのデータのサイズ（ピクセル数）が表示部１５に表示可能なサイズ（ピクセル数）より小さい場合、代替データが不要と判断しても良い。
【００４９】
要するに、表示にあたり、画像音声処理部２４が所定の量より多くのリソースを必要とすることがある場合、壁紙処理部２１は、代替データが必要と判断し、所定の量より多くのリソースを必要とすることがない場合、代替データが不要と判断する。
【００５０】
なお、後述するように、この実施形態においては、画像音声処理部２４が、画像データを壁紙として表示させる動作と、デジタル放送受信部２３によって受信された画像データ及び音声データを復号させる動作との両方を同時に実行可能である場合、代替データは不要であり、実行不可能である場合、代替データは必要と判断する。ここで、同時に実行可能とは、マルチタスク方式で、実用になる速度で両方を実行可能であることを意味する。
【００５１】
ステップＳ１０３で、代替データが必要でないと判断された場合、壁紙処理部２１は、壁紙識別子２２ｂとして所定の一連番号と、壁紙名称２２ｃとして上記画像データの名称と、そして、壁紙データ２２ｄとして上記画像データと、を関連付けた壁紙情報２２ａを、壁紙情報記憶部２２に記憶させて（ステップＳ１０４）、壁紙を記憶させる動作を終了する（ステップＳ１０５）。なお、ステップＳ１０４の動作で、関連付けられた代替データ２２ｅとしては、情報を記憶させない。
【００５２】
一方、代替データが必要であると判断された場合、壁紙処理部２１は、上記画像データを表示部１５に表示させ、入力装置１６の所定のキー操作に従って、その画像データに対して、拡大、縮小、トリミングの操作を行う（ステップＳ１０６）。なお、画像データに対する操作は、上記に限るものではなく、色の変更、明るさの変更などを含んでも良い。また、拡大及び縮小は、上下方向と左右方向とで同じ率で行われるが、異なる率で行われても良い。
【００５３】
上記のように操作された画像データは、操作前の画像データを壁紙として表示することが不可能な場合、その代替として表示される適切な静止画である。なぜなら、最も使用者によって好まれた画像であるからである。既に述べたように、壁紙は、必ずしも装置が特定の情報を使用者に報知するためのものではなく、使用者の好みに従った画像であることが重要だからである。
【００５４】
そして、壁紙処理部２１は、壁紙識別子２２ｂとして所定の一連番号と、壁紙名称２２ｃとして上記画像データの名称と、壁紙データ２２ｄとして上記画像データと、そして、代替データ２２ｅとしてステップＳ１０６で操作された画像データをＱＶＧＡ規格で表示部１５に表示されるデータに修正した画像データと、を関連付けた壁紙情報２２ａを、壁紙情報記憶部２２に記憶させて（ステップＳ１０７）、壁紙を記憶させる動作を終了する（ステップＳ１０５）。
【００５５】
なお、壁紙処理部２１は、入力装置１６の所定のキー操作に従って、壁紙情報記憶部２２に記憶された壁紙情報２２ａの中の１つを選択し、その壁紙の壁紙識別子２２ｂを壁紙処理部２１内に記憶する（図示せず）。そして、後述するように、その選択された壁紙情報２２ａの壁紙データ２２ｄまたは代替データ２２ｅを壁紙として表示部１５に表示させる。壁紙データ２２ｄ及び代替データ２２ｅのいずれを表示させるかは、後で詳述する。
【００５６】
ここで、壁紙処理部２１による上記選択によって異なる壁紙情報２２ａが選択された後、移動通信端末装置の電源が切断され、そして投入された際から、壁紙処理部２１は、その異なる壁紙情報２２ａの壁紙データ２２ｄまたは代替データ２２ｅを壁紙として表示部１５に表示させるとするが、これに限るものではない。異なる壁紙情報２２ａが選択された後、直ちに表示部１５に表示される壁紙を異なったものに変更することは、以下に説明する壁紙の表示形態の設定動作を直ちに行うことにより可能である。
【００５７】
図４は、壁紙処理部２１が表示部１５に表示させる壁紙の表示形態を記憶する動作のフローチャートを示す。壁紙処理部２１は、入力装置１６の所定のキー操作に従って表示部１５に表示させる壁紙の表示形態を記憶する動作を開始する（ステップＳ２０１）。そして、ストリームスクリーン設定画面、即ち、壁紙をストリームスクリーン表示させるか否かを入力装置１６の所定のキー操作によって指定することを促す表示を表示部１５に行う（ステップＳ２０２）。そして、入力装置１６の所定のキー操作によってストリームスクリーン表示させるか否かを判断する（ステップＳ２０３）。
【００５８】
ストリームスクリーン表示をさせると判断された場合、壁紙処理部２１は、ストリームスクリーン表示として、「ＯＮ」を壁紙処理部２１内に記憶して（ステップＳ２０４）、表示形態を記憶する動作を開始する（ステップＳ２０５）。一方、ストリームスクリーン表示をさせないと判断された場合、ストリームスクリーン表示として、「ＯＦＦ」を壁紙処理部２１内に記憶して（ステップＳ２０６）、表示形態を記憶する動作を開始する（ステップＳ２０５）。
【００５９】
なお、ストリームスクリーン表示として記憶された情報が更新された場合、移動通信端末装置の電源が切断され、そして投入された際から、壁紙処理部２１は、その更新された記憶された情報に従ってストリームスクリーン表示を行う、または行わないとするが、これに限るものではない。上記情報が更新された後、直ちにその更新された記憶された情報に従ってストリームスクリーン表示を行う、または行わないとすることは、以下に説明する壁紙の表示形態の設定動作を直ちに行うことにより可能である。
【００６０】
ここで、ストリームスクリーン表示を説明する。図５は、ストリームスクリーン表示の概念を示す。ストリームスクリーン表示は、静止画である壁紙データ２２ｄを壁紙として表示部１５へ表示させるにあたり、壁紙データ２２ｄの一部を表示させ、かつ、拡大縮小比とトリミングされた部分を動的に変化させつつ表示させることによって、動画として表示させることである。
【００６１】
即ち、図５で、壁紙データ２２ｄは、うさぎの絵を例示し、表示される領域は、壁紙データ２２ｄの一部であって、拡大時表示領域１５ａである画像のサイズから、拡大時表示領域１５ａである画像のサイズより小さい縮小時表示領域１５ｂである画像のサイズまで、拡大縮小動作１５ｃを行って領域のサイズを変更しつつ、及び／または、その領域の位置は、表示領域移動動作１５ｄを行って移動させながら、このようにサイズ変更と領域移動とによって決定された領域を表示部１５に表示させることである。
【００６２】
ここで、図５に示すように、拡大時表示領域１５ａと、縮小時表示領域１５ｂとは、例えば、表示部１５の表示画面が長方形であれば、その長方形の縦横比に等しい縦横比を持つ長方形である。そして、拡大縮小動作１５ｃは、細い両方向矢印４本で示すように、拡大時表示領域１５ａと、縮小時表示領域１５ｂとの間の領域を取るための拡大及び縮小の動作である。また、表示領域移動動作１５ｄは、太い一方向矢印４本で示すように、上下左右方向に移動する動作である。
【００６３】
いずれのサイズの領域を取るように拡大縮小動作１５ｃが行われるか、そして、いずれの方向へ表示領域移動動作１５ｄが行われるかは、乱数に基づいて決定される。なお、これらの動作の速度は、使用者が充分に動作を視認できる程度に行われる。動作の方向が逆転する時点を除き、動作していることが使用者に視認されるように、動作の速度は所定の速度以上である。また、表示領域がどのように変化しているかが使用者に視認されるように、動作の速度は所定の速度以下である。
【００６４】
図６は、壁紙処理部２１が表示部１５に待受け画面を表示させる動作のフローチャートを示す。なお、この動作は、少なくとも、移動端末通信装置の電源が投入された際に、制御部１１によって起動される。
【００６５】
なお、壁紙処理部２１は、壁紙処理部２１内に記憶された壁紙識別子２２ｂを変更した、即ち、待受け画面に含めて表示させる壁紙を変更した場合、その変更に続けてこの待受け画面を表示させる動作を実行することがある。ただし、この場合、後述するように、デジタル放送受信部２３の動作状況に従って、壁紙の表示形態を変更することがあるが、説明を繰り返すのを避け、ここでは、その表示形態の変更については述べない。
【００６６】
壁紙処理部２１は、壁紙を含む待受け画面を表示させる動作を開始し（ステップＳ３０１）、壁紙処理部２１内に記憶された壁紙識別子２２ｂと関連付けて壁紙情報２２ａに記憶された壁紙データ２２ｄを検索して、表示するために選択された壁紙が静止画であるか否かを判断する（ステップＳ３０２）。
【００６７】
静止画ではないと判断された場合、即ち、ベクトル動画であると判断された場合、壁紙処理部２１は、検索された壁紙データ２２ｄを表示部１５に表示させる、即ち、ベクトル動画である壁紙を表示させる旨を画像音声処理部２４に指示して（ステップＳ３０３）、画像音声処理部２４に待受け画面の表示を継続させて、動作を終了する（ステップＳ３０４）。
【００６８】
一方、静止画であると判断された場合、壁紙処理部２１は、壁紙処理部２１内にストリームスクリーン表示として、「ＯＮ」が記憶されているか否かを調べる（ステップＳ３０５）。ストリームスクリーン表示として、「ＯＮ」が記憶されていない、即ち、「ＯＦＦ」が記憶されている場合、壁紙処理部２１内に記憶された壁紙識別子２２ｂと関連付けて壁紙情報２２ａに記憶された代替データ２２ｅを検索して取得する（ステップＳ３０６）。
【００６９】
そして、壁紙処理部２１は、その取得された代替データ２２ｅを表示部１５に表示させる、即ち、静止画である壁紙を表示させる旨を画像音声処理部２４に指示して（ステップＳ３０７）、画像音声処理部２４に待受け画面の表示を継続させて、動作を終了する（ステップＳ３０４）。
【００７０】
ステップＳ３０５で、ストリームスクリーン表示として、「ＯＮ」が記憶されている場合、壁紙処理部２１は、ステップＳ３０２で検索された壁紙データ２２ｄから、そのサイズ（ピクセル数）を取得する（ステップＳ３０８）。
【００７１】
そして、そのサイズが表示部１５に表示可能なサイズ（ピクセル数）以上か否かを調べる（ステップＳ３０９）。壁紙データ２２ｄのサイズが表示部１５に表示可能なサイズ未満である場合、ストリームスクリーン表示をする意味がないので、壁紙処理部２１は、ステップＳ３０６の代替データ２２ｅを検索して取得する動作以降に移る。
【００７２】
一方、壁紙データ２２ｄのサイズが表示部１５に表示可能なサイズ以上である場合、壁紙処理部２１は、ステップＳ３０２で検索された壁紙データ２２ｄを取得し（ステップＳ３１０）、その取得された壁紙データ２２ｄを表示部１５にストリームスクリーン表示させる旨を画像音声処理部２４に指示して（ステップＳ３１１）、画像音声処理部２４に待受け画面の表示を継続させて、動作を終了する（ステップＳ３０４）。
【００７３】
図７は、壁紙処理部２１が画像音声処理部２４に指示して、表示部１５にストリームスクリーン表示を継続させている際に、デジタル放送受信部２３が起動される場合の、壁紙処理部２１の壁紙の表示形態変更の動作のフローチャートを示す。この動作の一部は、図６を参照して説明した壁紙処理部２１が表示部１５に待受け画面を表示させる動作と同一である。そこで同じ動作ステップには同じ符号を付して説明を省略する。
【００７４】
この壁紙処理部２１の壁紙の表示形態変更の動作は、壁紙処理部２１が表示部１５にストリームスクリーン表示を継続させている際に、制御部１１から送られたデジタル放送受信部２３が起動される旨の通知が受信されることによって動作を開始する（ステップＳ４０１）。
【００７５】
このデジタル放送受信部２３が起動される旨の通知は、入力装置１６の所定のキー操作がされることによって送られる。また、このキー操作の際、デジタル放送受信部２３がフォアグラウンド動作として起動されるか、バックグラウンド動作として起動されるかが指定され、いずれの動作であるかの通知も併せて受信される。
【００７６】
すると、壁紙処理部２１は、画像音声処理部２４に指示して、ストリームスクリーン表示を停止させ、即ち、その時点で表示されている画像をＱＶＧＡ規格に従った静止画として表示させる（ステップＳ４０２）。
【００７７】
ここで、ストリームスクリーン表示を停止させる理由は、画像音声処理部２４によって、ストリームスクリーン表示と、デジタル放送受信部２３によって受信された画像データの復号とが、同時に行われることがないためである。なぜなら、同時に行うためのリソースが画像音声処理部２４に割り当てられることがないからである。
【００７８】
一方、ベクトル動画表示（図６のステップＳ３０３の動作を参照のこと。）と、静止画表示（図６のステップＳ３０７の動作を参照のこと。）とは、デジタル放送受信部２３によって受信された画像データの復号と同時に画像音声処理部２４によって行われる。なぜなら、同時に行うためのリソースが画像音声処理部２４に割り当てられるからである。そこで、これら２つの表示の際に、デジタル放送受信部２３が起動されても、壁紙処理部２１は、特段の処理を行う必要はなく、説明を省略する。
【００７９】
そして、壁紙処理部２１は、デジタル放送受信部２３がフォアグラウンド動作として起動されるか、バックグラウンド動作として起動されるかを調べる（ステップＳ４０３）。フォアグラウンド動作として起動される場合、壁紙処理部２１は、デジタル放送受信部２３をフォアグラウンド動作として起動させ（ステップＳ４０４）、画像音声処理部２４に待受け画面の表示を継続させて、壁紙の表示形態変更の動作を終了する（ステップＳ４０５）。
【００８０】
ここで、壁紙の表示形態変更の上、画像音声処理部２４に待受け画面の表示を継続させるものの、その画面の表示は、表示部１５に引き続き現れることはない。なぜなら、表示部１５には、ステップＳ４０４で起動されたデジタル放送受信部２３によって受信された画像データが表示されるからである。
【００８１】
バックグラウンド動作として起動される場合、壁紙処理部２１は、ステップＳ３０６お及びステップＳ３０７の壁紙処理部２１内に記憶された壁紙識別子２２ｂと関連付けて壁紙情報２２ａに記憶された代替データ２２ｅを取得して、表示部１５に表示させる動作の後、デジタル放送受信部２３をバックグラウンド動作として起動させ（ステップＳ４０４）、画像音声処理部２４に待受け画面の表示を継続させて、壁紙の表示形態変更の動作を終了する（ステップＳ４０５）。
【００８２】
ここで、ステップＳ４０４でデジタル放送受信部２３をバックグラウンド動作として起動させたため、壁紙の表示形態変更の上、表示を継続させた待受け画面は、引き続いて表示部１５に現れる。なぜなら、表示部１５には、デジタル放送受信部２３によって受信された画像データが表示されないからである。
【００８３】
なお、ステップＳ４０１で、デジタル放送受信部２３が起動される旨の通知は、入力装置１６の所定のキー操作がされることによって送られるとしたが、これに限るものではない。例えば、入力装置１６の所定のキー操作がされることによって、制御部１１が所定のメニューを表示部１５に表示させ、そのメニュー中のデジタル放送受信部２３が起動される旨の項目が入力装置１６の所定のキー操作によって選択された場合、デジタル放送受信部２３が起動される旨の通知が壁紙処理部２１に送られ、また、上記メニューが消去されるとしても良い。
【００８４】
この場合、このメニューは、ＱＶＧＡ規格に従って表示される。また、メニューが表示される前に、壁紙処理部２１は、制御部１１からの指示に従って、ステップＳ４０３のストリームスクリーン表示を停止させる動作を行う。これによって、壁紙の表示からメニューの表示への変更に際し、表示の乱れが生じる恐れがない。
【００８５】
そして、その後、デジタル放送受信部２３が起動される旨の通知が制御部１１から送られると、壁紙処理部２１は、ステップＳ４０３のデジタル放送受信部２３がフォアグラウンド動作として起動されるか、バックグラウンド動作として起動されるかを調べる動作移行を行う。
【００８６】
また、ステップＳ４０４で、壁紙処理部２１は、デジタル放送受信部２３を起動させるとしたが、これに限るものではない。例えば、制御部１１に壁紙の表示形態の変更動作が終了した旨を通知し、制御部１１がデジタル放送受信部２３を起動させるとしても良い。
【００８７】
図８は、デジタル放送受信部２３がフォアグラウンドで動作し、受信された放送を表示部１５に表示している際、デジタル放送受信部２３がバックグラウンドでの動作に移され、その結果、待受け画面を表示部１５に表示させることが必要になり、それに伴って壁紙処理部２１が表示部１５に表示させる壁紙の表示形態を状況に応じて変更する動作のフローチャートを示す。この動作の一部は、図６を参照して説明した壁紙処理部２１が表示部１５に待受け画面を表示させる動作と同一である。そこで同じ動作ステップには同じ符号を付して説明を省略する。
【００８８】
この壁紙処理部２１の壁紙を表示部１５に表示される動作は、動作中のデジタル放送受信部２３がフォアグラウンドでの動作からバックグラウンドでの動作に移された際に開始され（ステップＳ５０１）、その後、図６を参照して説明した、壁紙処理部２１が表示部１５に待受け画面を表示させる動作のステップＳ３０２の表示するために選択された壁紙が静止画であるか否かを判断する動作以降を行う。
【００８９】
ただし、図６のステップＳ３１１のストリームスクリーン表示させる動作は行われない動作とする。そのため、壁紙処理部２１は、図６のステップＳ３０５のストリームスクリーン表示として、「ＯＮ」が記憶されているか否かを調べる動作を行うことなく、「ＯＦＦ」が記憶されているとした動作を行う。なぜなら、デジタル放送受信部２３のバックグラウンドでの動作と、ストリームスクリーン表示とは、同時に実行することができないからである。
【００９０】
なお、ステップＳ５０１の動作で説明した、動作中のデジタル放送受信部２３がバックグラウンドでの動作に移されることは、入力装置１６の所定のキー操作によって行われるとするが、これに限るものではない。例えば、入力装置１６の所定のキー操作によって、デジタル放送受信部２３に指示を与えるための所定のメニューが表示部１５に表示される。そして、そのメニューの中のバックグラウンドでの動作に移す旨の項目が入力装置１６の所定のキー操作によって選択されることによって、そのメニューが消去され、デジタル放送受信部２３がバックグラウンドでの動作に移されるとしても良い。なお、そのメニューは、ＱＶＧＡ規格に従って表示される。
【００９１】
上記説明した壁紙処理部２１の動作によれば、動作中のデジタル放送受信部２３がバックグラウンドでの動作に移された場合、動作中のデジタル放送受信部２３が起動される前に表示されていた壁紙の表示形態の如何を問わず、表示部１５には、その壁紙が適切な表示形態で表示される。
【００９２】
なお、動作中のデジタル放送受信部２３がバックグラウンドでの動作に移された場合、上記説明した壁紙処理部２１の動作なしでは、そのデジタル放送受信部２３が起動される前に表示されていた壁紙がストリームスクリーン表示されていれば、デジタル放送受信部２３が起動される際の表示（図７のステップＳ４０２のストリームスクリーン表示が停止された際の表示。）が表示部１５に現れる。この表示は、ストリームスクリーン表示される壁紙データ２２ｄを適切に代替する表示ではない。
【００９３】
図９は、ステップＳ５０１の動作前に、デジタル放送受信部２３がフォアグラウンドでの動作中において、表示部１５に現れる表示の一例を示す。この表示は、デジタル放送受信部によって受信された画像データが復号された画像データ１５ｆであって、図９には、その画像データ人物が含まれる例を示した。
【００９４】
図１０は、ステップＳ５０１において、所定のメニューを介して動作中のデジタル放送受信部２３がバックグラウンドでの動作に移される場合に、表示部１５に表示されるデジタル放送受信部に指示を与えるメニュー１５ｇの一例を示す。このメニューは、図９に示したような、例えばデジタル放送受信部によって受信された画像データが復号された画像データ１５ｆが表示されているときに所定のキー（例えば電源キー）が押下されたときに表示される。
【００９５】
そして、このメニューは、「デジタル放送受信部メニュー」なる標題と、選択される項目として、「１．終了」、「２．バックグラウンドへ移行」、「３．戻る」などが表示されており、「２．バックグラウンドへ移行」が選択されていることを、その項目を網掛け表示で示している。
【００９６】
ここで、「１．終了」は、デジタル放送受信部２３の動作終了の指示を示し、「２．バックグラウンドへ移行」は、動作中のデジタル放送受信部２３をバックグラウンドでの動作に移す指示を示し、「３．戻る」は、再度図９に示すようなデジタル放送受信部によって受信された画像データが復号された画像データ１５ｆを表示する指示を示す。
【００９７】
このメニューは、図９に例示したデジタル放送受信部によって受信された画像データが復号された画像データ１５ｆに代えて表示されている例を示したが、これに限るものではない。その画像の表示を背景に表示されても良い。
【００９８】
図１１は、ステップＳ３０７において、代替データ２２ｅが壁紙として表示部１５に表示された一例を示す。この表示部１５に表示された代替データが用いられた壁紙の表示１５ｈは、図５で例示した拡大時表示領域１５ａの画像データが代替データ２２ｅとして記憶されている例を示す。
【００９９】
なお、デジタル放送受信部２３がバックグラウンドで動作し、待受け画面が表示部１５に表示されている際、デジタル放送受信部２３がフォアグラウンドでの動作に移され、その結果、待受け画面を表示部１５に表示させないことが必要になる場合、壁紙処理部２１は、特段の処理を行う必要はない。
【０１００】
なぜなら、デジタル放送受信部２３がバックグラウンドで動作している際、既に説明したように、画像音声処理部２４は、壁紙のストリームスクリーン表示を行わない（図７に示すフローチャートを参照して説明した、デジタル放送受信部２３が起動される際の壁紙処理部２１の動作を参照のこと。）。
【０１０１】
そのため、画像音声処理部２４は、壁紙画像データの処理と、デジタル放送受信部２３によって受信された画像データの処理とを同時に実行している。そこで、デジタル放送受信部２３がフォアグラウンドでの動作に移されても、画像音声処理部２４の動作に何ら支障が生じないからである。
【０１０２】
図１２は、デジタル放送受信部２３がバックグラウンドで動作し、壁紙処理部２１が壁紙を表示部１５に表示させている際、デジタル放送受信部２３が動作を終了したことによる、壁紙処理部２１の壁紙の表示形態変更の動作のフローチャートを示す。この動作の一部は、図６を参照して説明した壁紙処理部２１が表示部１５に待受け画面を表示させる動作と同一である。そこで同じ動作ステップには同じ符号を付して説明を省略する。
【０１０３】
この壁紙処理部２１の壁紙の表示形態変更の動作は、動作中のデジタル放送受信部２３の動作が終了された際に開始され（ステップＳ６０１）、その後、図６を参照して説明した、壁紙処理部２１が表示部１５に待受け画面を表示させる動作のステップＳ３０２の表示するために選択された壁紙が静止画であるか否かを判断する動作以降を行う。
【０１０４】
ただし、図６のステップＳ３０３のベクトル動画の表示と、ステップＳ３０７の静止画の表示とは行わず、ステップＳ３０２、ステップＳ３０５及びステップＳ３０９の判断動作を経た上で、ステップＳ３１１のストリームスクリーン表示させる動作のみを行う動作とする。そのため、壁紙処理部２１は、図６のステップＳ３０５のストリームスクリーン表示として、「ＯＮ」が記憶されているか否かを調べる動作を行うことなく、「ＯＮ」が記憶されているとした動作を行う。
【０１０５】
なぜなら、デジタル放送受信部２３がバックグラウンドで動作中、ベクトル動画の表示と、ステップＳ３０７の静止画の表示とは、表示部１５に表示されていたのであり、デジタル放送受信部２３の動作の終了によって、壁紙処理部２１の動作なしで表示部１５に引き続き表示されるからである。そして、ストリームスクリーン表示は、デジタル放送受信部２３がバックグラウンドで動作中には行われていなかったからである（図５のステップＳ４０２の動作を参照のこと。）。
【０１０６】
なお、壁紙処理部２１の上記の動作は、デジタル放送受信部２３がフォアグラウンドで動作している際、デジタル放送受信部２３が動作を終了した場合にも行われる。なぜなら、デジタル放送受信部２３がフォアグラウンドで動作中、ベクトル動画の表示と、ステップＳ３０７の静止画の表示とは、表示部１５には現れないとしても、画像音声処理部２４によって行われていたのであり、デジタル放送受信部２３の動作の終了によって、壁紙処理部２１の動作なしで表示部１５に現れるからである。
【０１０７】
そして、ストリームスクリーン表示は、デジタル放送受信部２３がフォアグラウンドで動作中には行われていなかったからである（図５のステップＳ４０２の動作を参照のこと。）。
【０１０８】
なお、ステップＳ６０１の動作で説明した、動作中のデジタル放送受信部２３の動作が終了されたことは、図８を参照して説明したステップＳ５０１の動作中のデジタル放送受信部２３がバックグラウンドでの動作に移されることと同様に、入力装置１６の所定のキー操作によって行われるが、メニューを用いて行われても良い。
【０１０９】
以上の説明では、壁紙データ２２ｄは、ＶＧＡ規格に従って表示される静止画と、ＱＶＧＡ規格に従って表示されるベクトル動画とした。そして、画像音声処理部２４は、上記静止画がストリームスクリーン表示される動作と、デジタル放送受信部２３によって受信された画像データを復号する動作とを同時に実行するリソースを割り当てられることはないとしたが、これに限るものではない。
【０１１０】
壁紙データ２２ｄは、上記以外の画像であっても良い。そして、表示に必要となるリソースが大きい画像としては、ＭＰＥＧ方式などで符号化された画像データや、ＶＧＡ規格に従って表示されるベクトル動画がある。表示に必要となるリソースが小さい画像としては、ＱＶＧＡ規格に従って表示される静止画（ストリームスクリーン表示される場合を含む。）などがある。
【０１１１】
また、ＶＧＡ規格に従って表示される画像は、表示に必要となるリソースが大きく、ＱＶＧＡ規格に従って表示される画像は、表示に必要となるリソースが小さいとしても良い。ここで、ＶＧＡ規格と、ＱＶＧＡ規格とは、例示したに過ぎない。一般に、より多くのピクセルを扱う処理ほど、必要となるリソースがより大きい。
【０１１２】
そして、画像音声処理部２４は、必要となるリソースが大きい壁紙画像の表示と、デジタル放送受信部２３によって受信された画像データを復号する動作とを、同時に実行することはできないので、上記説明したような、代替データ２２ｅを用いる壁紙処理部２１の動作が必要となる。この動作なしでは、デフォルトの壁紙が表示され、また、壁紙が表示されないなど、使用者に違和感を与える可能性がある。
【０１１３】
なお、必要となるリソースが大きい壁紙画像の表示と同時に画像音声処理部２４によって実行ができない処理は、上記のデジタル放送受信部２３によって受信された画像データを復号する動作に限るものではない。それ以外に、例えば、デジタル放送受信部２３によって受信された音声データを復号する動作、装置内に記憶された符号化された動画像及び／または音声コンテンツを復号する動作などがある。
【０１１４】
一方、画像音声処理部２４は、必要となるリソースが小さい画像の表示と、デジタル放送受信部２３によって受信された画像データを復号する動作とを、同時に実行することができるので、上記説明したような壁紙処理部２１の表示形態変更の動作は不要である。
【０１１５】
なお、ＭＰＥＧ方式によって符号化されたか、ベクトル動画方式であるかを問わず、動画である壁紙データ２２ｄに関連付けて記憶される代替データ２２ｅは、その動画から静止画を選択し、その選択された静止画の所定の領域（図３のステップＳ１０６の動作を参照のこと。）とするがこれに限るものではない。その動画の冒頭の静止画の所定の領域としても良い。
【０１１６】
また、以上の説明では、充分なリソースが割り当てられないことがある処理部は、画像音声処理部２４であるとしたが、このリソースは、画像音声処理部２４が備える画像音声処理部２４専用のリソースであっても良く、また、装置全体で共用するリソースであっても良い。また、画像音声処理部２４以外に充分なリソースが割り当てられないとしても良い。例えば、共用されるＣＰＵリソースに限りがある場合、共用される主記憶リソースに限りがある場合、データ転送用バスの速度に限りがある場合などである。
【０１１７】
以上の説明は、本発明を移動通信端末装置に適用した形態を例にとって行ったが、本発明は、あらゆる壁紙を表示する装置、例えば、パソコン、ＰＤＡ（Personal Digital Assistant）、音楽再生装置などに適用することが当然に可能であり、使用者に違和感を与えることがない効果が得られる。
【０１１８】
また、画像表示用に備えられたリソースに限りがある装置にあっては、本発明の適用は、特に有効である。例えば、電池によって動作する携帯型の装置の場合、消費電力削減や、小型化のため、備えられえるリソースに限りがあるため、本発明の適用は、特に有効である。本発明は以上の構成に限定されるものではなく、種々の組合せ及び変形が可能である。
【図面の簡単な説明】
【０１１９】
【図１】本発明の実施形態に係る移動通信端末装置の構成を示すブロック図。
【図２】本発明の実施形態に係る壁紙情報の構成の一例を示す図。
【図３】本発明の実施形態に係る壁紙処理部の動作のフローチャート（その１、壁紙を壁紙情報記憶部に記憶させる動作。）。
【図４】本発明の実施形態に係る壁紙処理部の動作のフローチャート（その２、表示部に表示させる壁紙の表示形態を記憶する動作。）。
【図５】本発明の実施形態に係るストリームスクリーン表示の概念を示す図。
【図６】本発明の実施形態に係る壁紙処理部の動作のフローチャート（その３、待受け画面を表示させる動作。）。
【図７】本発明の実施形態に係る壁紙処理部の動作のフローチャート（その４、ストリームスクリーン表示中に、デジタル放送受信部が起動される場合の壁紙の表示形態変更の動作。）。
【図８】本発明の実施形態に係る壁紙処理部の動作のフローチャート（その５、デジタル放送受信部がバックグラウンドでの動作に移され、壁紙を表示させる動作。）。
【図９】本発明の実施形態に係るデジタル放送受信部がフォアグラウンドでの動作中に、表示部に現れる表示の一例を示す図。
【図１０】本発明の実施形態に係るデジタル放送受信部がバックグラウンドでの動作に移される場合、表示部に表示されるメニューの一例を示す図。
【図１１】本発明の実施形態に係る代替データが壁紙として表示部に表示された一例を示す図。
【図１２】本発明の実施形態に係る壁紙処理部の動作のフローチャート（その６、デジタル放送受信部が動作を終了した場合の壁紙の表示形態変更の動作。）
【符号の説明】
【０１２０】
１１  制御部
１５  表示部
１６  入力装置
２１  壁紙処理部
２２  壁紙情報記憶部
２２ａ  壁紙情報
２２ｂ  壁紙識別子
２２ｃ  壁紙名称
２２ｄ  壁紙データ
２２ｅ  代替データ
２３  デジタル放送受信部
２４  画像音声処理部
【図１】
2008193317.tif 000003
【図２】
2008193317.tif 000004
【図３】
2008193317.tif 000005
【図４】
2008193317.tif 000006
【図５】
2008193317.tif 000007
【図６】
2008193317.tif 000008
【図７】
2008193317.tif 000009
【図８】
2008193317.tif 000010
【図９】
2008193317.tif 000011
【図１０】
2008193317.tif 000012
【図１１】
2008193317.tif 000013
【図１２】
2008193317.tif 000014